(57)【要約】【課題】パネル左右の無効領域部分に字幕を表示させることで、本来の有効領域の描画部分を損なうことなく、字幕の重畳が可能となるテレビジョン受像機を提供する。【解決手段】視聴するユーザーの操作を受け、放送番組を選局１０３、１０４し、選局した放送番組が、画像データ、字幕画像データ及び字幕位置データを有するとき、字幕位置データが指定する位置に、字幕データを画像データに重畳１０８して字幕付き画像を表示部２１に表示するテレビジョン受像機において、表示部２１のアスペクト比と、表示する放送番組の画像のアスペクト比との相違から生じる余白部を設けて表示する際に、放送番組が有する字幕位置データを検出し、字幕を余白部に変更して表示する。ユーザーの操作を受けて字幕を余白部に表示する。【選択図】図１
2009118166.tif 000002
【特許請求の範囲】
【請求項１】
視聴するユーザーの操作を受け、放送番組を選局し、選局した放送番組が、画像データ、字幕画像データ及び字幕位置データを有するとき、前記字幕位置データが指定する位置に、前記字幕データを前記画像データに重畳して字幕付き画像を表示部に表示するテレビジョン受像機において、
前記表示部のアスペクト比と、表示する放送番組の画像のアスペクト比との相違から生じる余白部を設けて表示する際に、前記放送番組が有する字幕位置データを検出し、字幕を前記余白部に変更して表示することを特徴とするテレビジョン受像機。
【請求項２】
前記ユーザーの操作を受けて前記字幕を前記余白部に表示する請求項１記載のテレビジョン受像機。
【発明の詳細な説明】
【技術分野】
【０００１】
本発明は、テレビジョン受像機に関し、特にアスペクト比（横縦の比）４：３のＳＤサイズの信号を１６：９のパネルに出力する際に、描画されない余った領域が生ずるが、その無効領域を有効活用することで、付加価値的サービスを提供する技術に関する。
【背景技術】
【０００２】
テレビ番組は、従来のテレビジョン受像機での表示が適切な４：３コンテンツを放映する場合があるが、このコンテンツを近年普及している１６：９のパネルへの表示に際しては、縦横サイズが一致せず、図２に示すように、いろいろな表示を行うことが提案されている（特許文献１参照）。例えばアスペクト比を保つ（ノーマル）と、画面両側に無表示の部分（余白部）が出来てしまう。横幅に合わせて表示する（シネマ）と、映像の上下を切れた映像となる。違和感のない程度にアスペクトを変更して１６：９のパネルに表示したり（スマートズーム）、横方向に圧縮した映像を拡大して画面いっぱいに表示（フル）し、無表示部分を少なくすることも行われている。なお、入力信号どおりの映像で表示する（アンダースキャン）ことも行われる。
【０００３】
また、いくつかのテレビ番組では、画像の中に字幕（テロップ、スーパーなどとも呼ばれる）を表示することが行われている。これは、テレビ局が、画像データ、字幕画像データ及び字幕位置データを有する放送番組を作成して放送し、テレビジョン受像機は、受信した放送番組が有する字幕位置データが指定する位置に、字幕データを画像データに重畳して字幕付き画像を表示するものであるが、字幕と画像との色彩などが似ているとき、字幕が見にくくなるなどの問題があった。
【特許文献１】特開２００５−２９５３３８号公報
【発明の開示】
【発明が解決しようとする課題】
【０００４】
本発明は、従来の問題を解決するものであり、パネル左右の無効領域部分に字幕を表示させることで、本来の有効領域の描画部分を損なうことなく、字幕の重畳が可能となるテレビジョン受像機を提供することを目的とする。
【課題を解決するための手段】
【０００５】
本発明は、視聴するユーザーの操作を受け、放送番組を選局し、選局した放送番組が、画像データ、字幕画像データ及び字幕位置データを有するとき、前記字幕位置データが指定する位置に、前記字幕データを前記画像データに重畳して字幕付き画像を表示部に表示するテレビジョン受像機において、前記表示部のアスペクト比と、表示する放送番組の画像のアスペクト比との相違から生じる余白部を設けて表示する際に、前記放送番組が有する字幕位置データを検出し、字幕を前記余白部に変更して表示するテレビジョン受像機である。
【０００６】
また、本発明は、前記ユーザーの操作を受けて前記字幕を前記余白部に表示するテレビジョン受像機である。
【発明の効果】
【０００７】
本発明によれば、パネル左右の無効領域部分に字幕を表示させることで、本来の有効領域の描画部分を損なうことなく、字幕の重畳が可能となる。そして、字幕と動画部分が明確に分かれることにより、見た目もよくなり、信号処理的にも処理し易くなるテレビジョン受像機を得ることができる。
【発明を実施するための最良の形態】
【０００８】
本発明を実施するための最良の形態を説明する。
本発明のテレビジョン受像機の実施例について、図面を用いて説明する。
【０００９】
実施例を説明する。図１は、本実施例のテレビジョン受像機のシステム構成を示す図である。図１において、テレビジョン受像機は、リモートコントロール送信機（以下「リモコン送信機」）２３からのユーザー操作による指示を受けることができる。テレビジョン受像機は、地上アナログ放送受信用アンテナ１０１と、地上デジタル放送受信用アンテナ１０２と、液晶表示装置２１と、スピーカ２２を備える。
【００１０】
アナログチューナー部１０３は、地上アナログ放送受信用アンテナ１０１で受信されたアナログ放送電波を受信する。デジタルチューナー部１０４は、地上デジタル放送受信用アンテナ１０２で受信されたデジタル放送電波を受信する。
【００１１】
アナログチューナー部１０３は、ＡＶスイッチ部１０５を介して、ビデオセレクタ部１０９とオーディオセレクタ部１１３に接続されている。これにより、アナログ信号はＡＶスイッチ部１０５によりビデオ信号とオーディオ信号に分離され、ビデオ信号がビデオセレクタ部１０９に送られ、オーディオ信号がオーディオセレクタ部１１３に送られる。
【００１２】
デジタルチューナー部１０４は、デジタル復調部１０６及び分離部（ＤＭＵＸ、デマルチプレクサ）１０７を介して、ビデオデコード／キャプチャ部１０８とＥＰＧ／ＯＳＤ／予約処理部１１０とオーディオデコード部１１１に接続されている。デジタルチューナー部１０４からのデジタル信号は、デジタル復調部１０６で復調された後に、分離部１０７によりビデオ信号とオーディオ信号に分離される。ビデオ信号はビデオデコード／キャプチャ部１０８とＥＰＧ（電子番組表）／ＯＳＤ／予約処理部１１に送られ、オーディオ信号はオーディオデコード部１１１に送られる。
【００１３】
ビデオデコード／キャプチャ部１０８で処理されたビデオ信号は、ビデオセレクタ部１０９を介してビデオ出力変換部１１２に送られる。
【００１４】
ＥＰＧ（電子番組ガイド）／ＯＳＤ／予約処理部１１０は、電子番組ガイドの処理、お好み登録画面の処理（ユーザー好みの画面作成など）、予約処理などを行う。また、放送番組の画像データ、字幕画像データ及び字幕位置データから、字幕位置データが指定する位置に、字幕データを画像データに重畳して字幕付き画像となるビデオ信号を作成する。
【００１５】
ＥＰＧ（電子番組ガイド）／ＯＳＤ／予約処理部１１０からのビデオ信号は、ビデオセレクタ部１０９からのビデオ信号と一緒になってビデオ出力変換部１１２に送られる。
【００１６】
オーディオデコード部１１１でデコードされたオーディオ信号は、オーディオセレクタ部１１３に送られる。
【００１７】
ビデオ出力変換部１１２は、ビデオ信号に基づいて液晶表示パネル２８においてアナログ放送の場合には映像を表示させ、デジタル放送の場合には映像と電子番組表などを表示させる。オーディオ出力変換部１１４は、オーディオ信号に基づいてスピーカ１５により音声を出させる。
【００１８】
また、テレビジョン受像機は、選局部１１５、ＲＡＭ（ランダムアクセスメモリ）１１６、ＣＰＵ（中央処理装置）１１７、ビデオマウスマイコン１１９、不揮発性メモリ１２０、通信制御部１２１、リモコン受光部１２２を有する。
【００１９】
選局部１１５、ＲＡＭ（ランダムアクセスメモリ）１１６、ＣＰＵ（中央処理装置）１１７、ビデオマウスマイクロコンピュータ１１９、不揮発性メモリ１２０、通信制御部１２１、リモコン受光部１２２、そしてビデオデコード／キャプチャ部１０８、ＥＰＧ／ＯＳＤ／予約処理部１１０、オーディオデコード部１１１は、バスにより接続されている。
【００２０】
選局部１１５は、アナログチューナー部１０３とデジタルチューナー部１０４に接続されている。ＣＰＵ１１７は、バスを通じて各要素に指令を与え、データのやりとりの指示をする。ユーザーがリモコン送信機２３の選局ボタン等を押して、リモコン送信機の発光部１２からリモコン受光部１２２側に選局指令があると、ＣＰＵ１１７は選局部１１５に指令を与えて、選局部１１５はそれぞれのチューナー部１０３、１０４により放送局の選局を行う。
【００２１】
ＲＡＭ１１６は、テレビ操作のヘルプ手順を実行するためのソフトウェアが記憶されている。ビデオマウスマイコン１１９は、ビデオマウス１１８に指示を与える。
【００２２】
不揮発性メモリ１２０は、テレビジョン受像機操作に必要な情報などを記憶している。ＣＰＵ１１７の指令により、この情報は必要に応じてバスを通じて読み出される。
【００２３】
通信制御部１２１は、外部の電話回線とＬＡＮ（ローカルエリアネットワーク）に接続される。
【００２４】
リモコン受光部１２２は、リモコン送信機２３の発光部からの発生する光を受光する。リモコン送信機２３は、ユーザーがテレビジョン受像機に対して各種の操作を行うための複数の操作部分を有している。
【００２５】
ユーザーは、リモコン送信機２３を操作して、４：３のＳＤサイズの信号を１６：９のパネルに出力するようにすることができ、また、その際に、両端部に生じる余白部に字幕を表示するように指示することができる。
【００２６】
余白部に字幕を表示するようユーザーからの指示を受けると、テレビジョン受像機のＥＰＧ／ＯＳＤ／予約処理部１１０は、受信している放送番組の字幕位置データを検出し、字幕位置データが指定する位置の変わりに、両端部に生じる余白部に字幕データに対応する字幕を表示する。
【００２７】
本実施例のテレビジョン受像機は、４：３のＳＤサイズの信号を１６：９のパネルに出力する際に、スケーラ設定である「画面サイズ」のうち、ノーマル、またはスマートズームを選択することで、画面の左右両端に、描画されない無効領域が生ずるが、本実施例のテレビジョン受像機は、その無効領域部分に、例えば本来は画面の下部に横書きで重畳される字幕を、縦に変換して表示させる。なお、データ放送などの情報を表示させることもできる。そして、画面両側の無表示の部分がある場合、その部分にその放送に付随する字幕や、または他のデータ放送コンテンツを表示することで、今まではただ黒かっただけの領域を有効に利用することが可能となり、付加価値的サービスを提供することができる。
【図面の簡単な説明】
【００２８】
【図１】実施例のテレビジョン受像機のシステム構成の説明図。
【図２】テレビジョン受像機で表示する画面サイズと入力信号の関係の説明図。
【符号の説明】
【００２９】
１０３  アナログチューナー部
１０４  デジタルチューナー部
１１０  ＥＰＧ／ＯＳＤ／予約処理部
２１  液晶表示装置
２２  スピーカ
２３  リモコン送信機
【図１】
2009118166.tif 000003
【図２】
2009118166.tif 000004